(57)【要約】【課題】輝度変化の影響を受けやすいスリットの端部を避けて開口率の調整を行うことにより、設計値との誤差が少ない色度となるＦＦＳモードの液晶表示パネルを提供すること。【解決手段】サブ画素１２ＲＡ、１２ＧＡ、１２ＢＡは信号線１７と走査線２０で区画されており、それぞれのサブ画素１２ＲＡ、１２ＧＡ、１２ＢＡの色の混色により１画素１１Ａの色が設定されるＦＦＳモードの液晶表示パネル１０Ａであって、色度調整のために開口率を他の色のサブ画素１２ＲＡ、１２ＧＡより小さくしたサブ画素１２ＢＡを設け、この開口率が小さくされるサブ画素１２ＢＡはスリット状開口２７の端部３４の数が零又は最小となる側のサブ画素１２ＢＡの辺に沿って形成される遮光層３０が他の色のサブ画素１２ＲＡ、１２ＧＡより長く列方向に延在されている。【選択図】  図１
2010139918.tif 000002
【特許請求の範囲】
【請求項１】
液晶層を挟持して対向配置された第１基板及び第２基板を有し、
前記第１基板には、
互いに絶縁された状態でマトリクス状に形成された複数の信号線及び走査線と、前記走
査線及び信号線によって区画されたサブ画素毎に形成された複数のスリット状開口を有す
る上電極と、前記上電極と絶縁層を介して前記基板側に形成された下電極とを備え、
前記第２基板には、
平面視で、前記信号線及び走査線と重畳するように形成された遮光層と、前記走査線及
び信号線によって区画されたサブ画素毎に形成されたカラーフィルタ層とを備え、
それぞれ異なる色のカラーフィルタ層を有する複数のサブ画素で１画素が構成された液
晶表示パネルであって、
前記１画素を形成する複数のサブ画素には他の色のサブ画素よりも開口率が小さくされ
たサブ画素が形成されており、
前記開口率が小さくされているサブ画素は、前記サブ画素の各辺側に位置する前記スリ
ット状開口の端部の数が零又は最小となる側の辺に沿って形成された前記遮光層によって
前記開口率が小さくされていることを特徴とする液晶表示パネル。
【請求項２】
前記複数のサブ画素のそれぞれにおいて、前記複数のスリット状開口の端部は前記サブ
画素の長辺側に位置しており、前記サブ画素の短辺に沿って形成された前記遮光層によっ
て前記開口率が小さくされていることを特徴とする請求項１に記載の液晶表示パネル。
【請求項３】
前記複数のサブ画素のそれぞれにおいて、前記複数のスリット状開口は前記短辺に沿っ
た横「く」字状とされていることを特徴とする請求項２に記載の液晶表示パネル。
【請求項４】
前記開口率は、前記スリット状開口の端部の数が零又は最小となる側の短辺と対向する
短辺に沿って形成された遮光層によっても小さくされていることを特徴とする請求項３に
記載の液晶表示パネル。
【請求項５】
前記複数のサブ画素のそれぞれにおいて、前記複数のスリット状開口は前記短辺に対し
て鋭角をなして互いに異なる方向に延在する２つの群を有していることを特徴とする請求
項２に記載の液晶表示パネル。
【請求項６】
前記開口率は、前記スリット状開口の端部の数が零又は最小となる側の短辺と対向する
短辺に沿って形成された遮光層によっても小さくされていることを特徴とする請求項５に
記載の液晶表示パネル。
【請求項７】
前記複数のサブ画素のそれぞれにおいて、前記２つの群の開口率の比が同一とされてい
ることを特徴とする請求項６に記載の液晶表示パネル。
【請求項８】
前記複数のサブ画素のそれぞれにおいて、前記複数のスリット状開口の端部は前記サブ
画素の短辺側に位置しており、前記サブ画素の長辺に沿って形成された前記遮光層によっ
て前記開口率が小さくされていることを特徴とする請求項１に記載の液晶表示パネル。
【請求項９】
前記複数のサブ画素のそれぞれにおいて、前記複数のスリット状開口は前記長辺に沿っ
た縦「く」字状とされていることを特徴とする請求項８に記載の液晶表示パネル。
【請求項１０】
前記開口率は、前記スリット状開口の端部の数が零又は最小となる側の長辺と対向する
長辺に沿って形成された遮光層によっても小さくされていることを特徴とする請求項９に
記載の液晶表示パネル
【発明の詳細な説明】
【技術分野】
【０００１】
本発明はＦＦＳモードの液晶表示パネルに関し、特に、開口率が他の色のサブ画素の開
口率と異なるサブ画素を有するＦＦＳモードの液晶表示パネルに関する。
【背景技術】
【０００２】
液晶表示パネルはＣＲＴ（陰極線管）と比較して軽量、薄型、低消費電力という特徴が
あるため、表示用として多くの電子機器に使用されている。液晶表示パネルは、所定方向
に整列した液晶分子の向きを電界により変えて、液晶層の光の透過量を変化させて画像を
表示させるものである。これには外光が液晶層に入射し、反射板で反射されて再び液晶層
を透過して出射される反射型のものと、バックライト装置からの入射光が液晶層を透過す
る透過型のものと、その両方の性質を備えた半透過型のものとがある。
【０００３】
また、液晶表示パネルの液晶層に電界を印加する方法として、縦電界方式のものと横電
界方式のものとがある。縦電界方式の液晶表示パネルは、液晶層を挟んで配置される一対
の電極により、概ね縦方向の電界を液晶分子に印加するものである。この縦電界方式の液
晶表示パネルとしては、ＴＮ（Twisted Nematic）モード、ＶＡ（Vertical Alignment）
モード、ＭＶＡ（Multi-domain Vertical Alignment）モード等のものが知られている。
横電界方式の液晶表示パネルは、液晶層を挟んで配置される一対の基板のうちの一方の内
面側に一対の電極が互いに絶縁して設けられており、概ね横方向の電界を液晶分子に対し
て印加するものである。この横電界方式の液晶表示パネルとしては、一対の電極が平面視
で重ならないＩＰＳ（In-Plane Switching）モードのものと、重なるＦＦＳ（Fringe Fie
ld Switching）モードのものとが知られている。横電界方式の液晶表示パネルは広い視野
角を得ることができるという効果があるので、近年、多く用いられるようになってきてい
る。
【０００４】
また、液晶表示装置にはモノクロ表示型のものカラー表示型のものが存在している。カ
ラー表示型の液晶表示装置の１画素（１ピクセル）の色は、例えば、Ｒ（赤）・Ｇ（緑）
・Ｂ（青）の光３原色のカラーフィルタを個別に備えている各サブ画素を透過した光の混
色によって定まる。例えば、８ビットの０階調〜２５５階調に対応した電圧がＲ・Ｇ・Ｂ
の各サブ画素に印加されると各サブ画素の輝度は２５６種類となり、それらの各サブ画素
の輝度の組み合わせによって１画素で多くの色を表示することができるようになる。この
ようなＲ・Ｇ・Ｂのサブ画素で形成されている液晶表示パネルでは、Ｒ・Ｇ・Ｂの全ての
サブ画素を点灯させることによって白色表示を得ている。
【０００５】
しかしながら、液晶表示パネル内の各層の形成誤差やプロセス変動などにより、Ｒ・Ｇ
・Ｂの色度や輝度バランスが崩れ、Ｒ・Ｇ・Ｂの各サブ画素に同一階調の電圧が印加され
ても白色にならず、黄色がかる現象が生じる。このような問題点を簡単な構造で解決する
方法として、下記特許文献１に示されているように、遮光層によってＲ・Ｇ・Ｂの少なく
とも１つのサブ画素の開口率を小さく調整する方法が考えられている。
【特許文献１】特開２００５−  ９９４５５号公報
【特許文献２】特開２００５−  ７０７４７号公報
【発明の開示】
【発明が解決しようとする課題】
【０００６】
しかしながら、上記特許文献１に記載の液晶表示パネルは、縦電界方式のものであって
、ＦＦＳモードの液晶表示パネルのようなスリット状開口を有する上電極を備えていない
。ＦＦＳモードの液晶表示パネルにおいては、上記特許文献２に開示されているように、
スリット状開口の端部は液晶分子の回転方向が逆になるリバースツイストドメインが存在
するため、スリット状開口の端部を遮光部材で遮光することが行われている。しかしなが
ら、スリット状開口の端部は、駆動時の液晶挙動のバラツキや組立時の位置ずれ等によっ
て遮光の割合が変化して、輝度が大きく変動してしまうことがある。更には、液晶の駆動
に対して視野角均一性を持たせるために配向分割を行う場合には、遮光方法によってはそ
の視野角均一性が崩れてしまうという問題点も生じる。
【０００７】
本発明は、このような従来技術の問題点を解決すべくなされたものであって、輝度変化
の影響を受けやすい部分を避けて開口率の調整を行うことにより、設計値の輝度との誤差
が少ないＦＦＳモードの液晶表示パネルを提供することを目的とする。
【課題を解決するための手段】
【０００８】
上記目的を達成するため、本発明の液晶表示パネルは、液晶層を挟持して対向配置され
た第１基板及び第２基板を有し、前記第１基板には、互いに絶縁された状態でマトリクス
状に形成された複数の信号線及び走査線と、前記走査線及び信号線によって区画されたサ
ブ画素毎に形成された複数のスリット状開口を有する上電極と、前記上電極と絶縁層を介
して前記基板側に形成された下電極とを備え、前記第２基板には、平面視で、前記信号線
及び走査線と重畳するように形成された遮光層と、前記走査線及び信号線によって区画さ
れたサブ画素毎に形成されたカラーフィルタ層とを備え、それぞれ異なる色のカラーフィ
ルタ層を有する複数のサブ画素で１画素が構成された液晶表示パネルであって、前記１画
素を形成する複数のサブ画素には他の色のサブ画素よりも開口率が小さくされたサブ画素
が形成されており、前記開口率が小さくされているサブ画素は、前記サブ画素の各辺側に
位置する前記スリット状開口の端部の数が零又は最小となる側の辺に沿って形成された前
記遮光層によって前記開口率が小さくされていることを特徴とする。
【０００９】
本発明の液晶表示パネルは、互いに絶縁された状態でマトリクス状に形成された複数の
信号線及び走査線と、前記走査線及び信号線によって区画されたサブ画素毎に形成された
複数のスリット状開口を有する上電極と、前記上電極と絶縁層を介して前記基板側に形成
された下電極とを備えている。そのため、本発明の液晶表示パネルはＦＦＳモードで作動
するものとなる。
【００１０】
そして、本発明の液晶表示パネルにおいては、色度調整のために、１画素を形成する複
数のサブ画素には他の色のサブ画素よりも開口率が小さくされたサブ画素が形成されてお
り、この開口率が小さくされているサブ画素は、サブ画素の各辺側に位置するスリット状
開口の端部の数が零又は最小となる側の辺に沿って形成された遮光層によって開口率が小
さくされている。そのため、本発明の液晶表示パネルによれば、駆動時の液晶挙動のバラ
ツキや組立時の位置ずれ等による輝度変化の影響を受けやすいスリット状開口の端を避け
て遮光しているので、設計値の輝度との誤差が少ないＦＦＳモードの液晶表示パネルを得
ることができるようになる。
【００１１】
なお、本発明の液晶表示パネルにおいては、上電極及び下電極はいずれも画素電極又は
共通電極として作動させることができ、また、上電極に形成される複数のスリット状開口
は、一方向に直線状に延在するものであっても、それぞれ異なる方向に直線状に延在する
２つの群からなるものであっても、さらには少なくとも一部が「く」字状ないし「Ｖ」字
状に屈曲しているものであってもよい。なお、本発明の液晶表示パネルにおけるスリット
状開口の延在方向は、走査線に沿って延在するものであっても信号線に沿って延在するも
のであってもよい。
【００１２】
また、本発明の液晶表示パネルにおいては、前記複数のサブ画素のそれぞれにおいて、
前記複数のスリット状開口の端部は前記サブ画素の長辺側に位置しており、前記サブ画素
の短辺に沿って形成された前記遮光層によって前記開口率が小さくされていることが好ま
しい。
【００１３】
液晶表示パネルの１画素は複数のサブ画素により形成されており、通常、１画素は正方
形状とされているので、視覚的に自然に見えるようにするために各サブ画素は縦長の長方
形状とされている。そして、ＦＦＳモードの液晶表示パネルでは、複数のスリット状開口
の端部がサブ画素の長辺側に位置するように形成すると、スリット状開口の端部の数が零
又は最小となる側の辺は短辺側の辺となる。本発明の液晶表示パネルにおいては、開口率
が小さくされているサブ画素は、スリット状開口の端部の数が零又は最小となる側の短辺
に沿って形成された遮光層によって開口率が小さくされている。そのため、本発明の液晶
表示パネルによれば、長辺に沿って形成された遮光層によって開口率を調整するよりもよ
り細かく開口率の調整が可能となるので、より設計値の輝度との誤差が少ないＦＦＳモー
ドの液晶表示パネルが得られるようになる。
【００１４】
また、本発明の液晶表示パネルにおいては、前記複数のサブ画素のそれぞれにおいて、
前記複数のスリット状開口は前記短辺に沿った横「く」字状とされていることが好ましい
。
【００１５】
ＦＦＳモードの液晶表示パネルにおいては、スリット状開口の延在方向が一方向のみで
あると、視野角による色の差が大きくになる。それに対し、各サブ画素のスリット状開口
の延在方向が互いに異なる２つの領域を有していると、それぞれの領域の側でＶＴ特性（
印加電圧透過率特性）の異なる領域が生じ、視野角による色の差を低減することができる
ようになる。しかも、各サブ画素のスリット状開口が短辺に沿った横「く」字状とされて
いると、「く」字の縦中心線に対応する位置の両側にスリット状開口の延在方向が互いに
異なる２つの領域が形成される。そのため、本発明の液晶表示パネルによれば、視野角に
よる色の差が低減され、しかも、より設計値の輝度との誤差が少ないＦＦＳモードの液晶
表示パネルが得られるようになる。
【００１６】
また、本発明の液晶表示パネルにおいては、前記開口率は、前記スリット状開口の端部
の数が零又は最小となる側の短辺と対向する短辺に沿って形成された遮光層によっても小
さくされていることが好ましい。
【００１７】
各サブ画素にはスイッチング素子が形成されているため、通常、各サブ画素の２つの短
辺側のスリット状開口の形状は互いに異なっている。本発明の液晶表示パネルにおいては
、２つの短辺に沿って形成された遮光層によって開口率を小さくしているので、細かく開
口率を制御することができるので、より設計値の輝度との誤差が少ないＦＦＳモードの液
晶表示パネルが得られるようになる。
【００１８】
また、本発明の液晶表示パネルにおいては、前記複数のサブ画素のそれぞれにおいて、
前記複数のスリット状開口は前記短辺に対して鋭角をなして互いに異なる方向に延在する
２つの群を有していることが好ましい。
【００１９】
本発明の液晶表示パネルにおいては、複数のスリット状開口が短辺に対して鋭角をなし
て互いに異なる方向に延在する２つの群を有しているため、２つの群の中間位置を境とし
て両側にスリット状開口の延在方向が互いに異なる２つの領域が形成される。そのため、
本発明の液晶表示パネルによれば、視野角による色の差が低減され、しかも、より設計値
の輝度との誤差が少ないＦＦＳモードの液晶表示パネルが得られるようになる。なお、２
つの群の境界部に位置するそれぞれの群に属するスリット状開口は互いに連結されていて
もよい。
【００２０】
また、本発明の液晶表示パネルにおいては、前記複数のスリット状開口が前記短辺に対
して鋭角をなして互いに異なる方向に延在する２つの群を有する場合においても、前記開
口率は、前記スリット状開口の端部の数が零又は最小となる側の短辺と対向する短辺に沿
って形成された遮光層によっても小さくされていることが好ましい。
【００２１】
本発明においても、２つの短辺に沿って形成された遮光層によって開口率を小さくして
いるので、より細かく開口率を制御することができ、より設計値の輝度との誤差が少ない
ＦＦＳモードの液晶表示パネルが得られるようになる。
【００２２】
また、本発明の液晶表示パネルにおいては、複数のサブ画素のそれぞれにおいて、前記
２つの群の開口率の比が同一とされていることが好ましい。
【００２３】
本発明の液晶表示パネルによれば、前記２つの領域の開口率の比は、全ての色のサブ画
素において同一となるようにしたので、ＶＴ特性の異なる領域の開口率の比が全ての全て
のサブ画素において同一となるため、色度調整のために他の色のサブ画素よりも開口率が
小さくされたサブ画素が存在していても、視野角による色の差が悪化することがなくなる
。
【００２４】
また、本発明の液晶表示パネルにおいては、前記複数のサブ画素のそれぞれにおいて、
前記複数のスリット状開口の端部は前記サブ画素の短辺側に位置しており、前記サブ画素
の長辺に沿って形成された前記遮光層によって前記開口率が小さくされていることが好ま
しい。
【００２５】
複数のスリット状開口の端部がサブ画素の短辺側に位置ように形成すると、スリット状
開口の端部の数が零又は最小となる側の辺は長辺側の辺となる。本発明の液晶表示パネル
においては、開口率が小さくされているサブ画素は、スリット状開口の端部の数が零又は
最小となる側の長辺に沿って形成された遮光層によって開口率が小さくされている。ＦＦ
Ｓモードの液晶表示パネルにおいては、スリット状開口の端部は正常に表示ができないの
で、スリット状開口の端部の存在それ自体が開口率の低下の原因となる。本発明の液晶表
示パネルによれば、複数のスリット状開口の端部がサブ画素の長辺側に位置ように形成し
た場合と比すると、スリット状開口の端部の数が減少するので、より開口率が向上したＦ
ＦＳモードの液晶表示パネルが得られるようになる。
【００２６】
また、本発明の液晶表示パネルにおいては、前記複数のサブ画素のそれぞれにおいて、
前記複数のスリット状開口は前記長辺に沿った縦「く」字状とされていることが好ましい
。
【００２７】
各サブ画素のスリット状開口が長辺に沿った縦「く」字状とされていると、「く」字の
横中心線に対応する位置の両側にスリット状開口の延在方向が互いに異なる２つの領域が
形成される。そのため、本発明の液晶表示パネルによれば、視野角による色の差が低減さ
れ、しかも、より設計値の輝度との誤差が少ないＦＦＳモードの液晶表示パネルが得られ
るようになる。
【００２８】
また、本発明の液晶表示パネルにおいては、前記開口率は、前記スリット状開口の端部
の数が零又は最小となる側の長辺と対向する長辺に沿って形成された遮光層によっても小
さくされていることが好ましい。
【００２９】
各サブ画素にはスイッチング素子が形成されているため、通常、各サブ画素の２つの長
辺側のスリット状開口の形状も互いに異なっている。本発明の液晶表示パネルにおいては
、２つの長辺に沿って形成された遮光層によって開口率を小さくしているので、より細か
く開口率を制御することができ、より設計値の輝度との誤差が少ないＦＦＳモードの液晶
表示パネルが得られるようになる。
【発明を実施するための最良の形態】
【００３０】
以下、実施形態及び図面を参照して本発明を実施するための最良の形態を説明するが、
以下に示す実施形態は、本発明をここに記載したものに限定することを意図するものでは
なく、本発明は特許請求の範囲に示した技術思想を逸脱することなく種々の変更を行った
ものにも均しく適用し得るものである。なお、この明細書における説明のために用いられ
た各図面においては、各層や各部材を図面上で認識可能な程度の大きさとするため、各層
や各部材毎に縮尺を異ならせて表示しており、必ずしも実際の寸法に比例して表示されて
いるものではない。
【００３１】
図１は第１実施形態の液晶表示パネルの１画素分の平面図である。図２は図１のII−II
線の断面図である。図３は図１のIII−III線の断面図である。図４は第２実施形態の液晶
表示パネルの１画素分の平面図である。図５は第３実施形態液の液晶表示パネルの１画素
分の平面図である。図６は第４実施形態の液晶表示パネルの１画素分の平面図である。図
７は第５実施形態の液晶表示パネルの１画素分の平面図である。図８は第６実施形態の液
晶表示パネルの１画素分の平面図である。
【００３２】
［第１実施形態］
本実施形態の液晶表示パネル１０Ａは横電界方式のＦＦＳモードの液晶表示パネルであ
る。この液晶表示パネル１０Ａの要部の構成を図１〜図３を用いて説明する。図１に示す
ように、液晶表示パネル１０Ａの１画素１１Ａは、光の三原色である赤色のサブ画素１２
ＲＡ、緑色のサブ画素１２ＧＡ及び青色のサブ画素１２ＢＡで構成されており、これら３
つのサブ画素の混色によって１画素１１Ａの色が定まる。
【００３３】
図３に示すように、液晶表示パネル１０Ａの背面側には第１偏光板１３が貼り付けられ
、表示面側には第２偏光板１４が貼り付けられ、第１偏光板１３の背面側には液晶表示パ
ネル１０Ａに光を照射するバックライト装置１５が配設されている。
【００３４】
図２及び図３に示すように、液晶表示パネル１０Ａは液晶層ＬＣがアレイ基板ＡＲとカ
ラーフィルタ基板ＣＦで挟持される構成となっている。アレイ基板ＡＲは透明な絶縁性を
有するガラスや石英、プラスチック等からなる第１透明基板１６を基体としている。第１
透明基板１６上には、図２に示すように、液晶ＬＣに面する側に、アルミニウムやモリブ
デン等の金属からなる走査線１７が図１のＸ軸方向（行方向）に延在するように形成され
ている。走査線１７からはゲート電極Ｇが各サブ画素１２ＲＡ、１２ＧＡ、１２ＢＡの左
下に延在するように形成されている。
【００３５】
また、走査線１７とゲート電極Ｇを覆うようにして窒化ケイ素や酸化ケイ素等からなる
透明なゲート絶縁膜１８が積層されている。そして、平面視でゲート電極Ｇと重なるゲー
ト絶縁膜１８上には非晶質シリコンや多結晶シリコンなどからなる半導体層１９が形成さ
れている。ゲート絶縁膜１８上にはアルミニウムやモリブデン等の金属からなる複数の信
号線２０が、各サブ画素１２ＲＡ、１２ＧＡ、１２ＢＡの左側に図１のＹ軸方向（列方向
）に延在するように形成されている。この信号線２０からはソース電極Ｓが延在され、こ
のソース電極Ｓは半導体層１９の表面と部分的に接触している。
【００３６】
更に、信号線２０及びソース電極Ｓと同一の材料で同時に形成されたドレイン電極Ｄが
ゲート絶縁膜１８上に設けられており、このドレイン電極Ｄはソース電極Ｓと近接配置さ
れて半導体層１９と部分的に接触している。走査線１７と信号線２０とによって囲まれた
領域が１サブ画素領域に相当する。１画素は略正方形であるので、これを３等分するサブ
画素１２ＲＡ、１２ＧＡ、１２ＢＡは走査線１７側が短辺で信号線２０側が長辺の長方形
となる。ゲート電極Ｇ、ゲート絶縁膜１８、半導体層１９、ソース電極Ｓ、ドレイン電極
Ｄによってスイッチング素子となる薄膜トランジスターＴＦＴが構成され、それぞれのサ
ブ画素１２ＲＡ、１２ＧＡ、１２ＢＡにこのＴＦＴが形成されている。
【００３７】
更に、信号線２０、ＴＦＴ及びゲート絶縁膜１８の露出部分を覆うようにして例えば窒
化ケイ素や酸化ケイ素等からなる透明なパッシベーション膜２１が積層されている。そし
て、パッシベーション膜２１を覆うようにして、例えばフォトレジスト等の透明樹脂材料
からなる平坦化樹脂層２２が積層されている。そして、平坦化樹脂層２２を覆うようにし
てＩＴＯ（Indium Thin Oxide）ないしＩＺＯ（Indium Zinc Oxide）等の透明導電性材料
からなる下電極２３が形成されている。平坦化樹脂層２２とパッシベーション膜２１を貫
通してドレイン電極Ｄに達するコンタクトホール２４が形成されており、このコンタクト
ホール２４を介して下電極２３とドレイン電極Ｄとが電気的に接続されている。そのため
、ここでは下電極２３は画素電極として作動する。
【００３８】
下電極２３を覆うようにして例えば窒化ケイ素や酸化ケイ素等からなる透明な電極間絶
縁膜２５が積層されている。そして、電極間絶縁膜２５を覆うようにしてＩＴＯないしＩ
ＺＯ等の透明導電性材料からなる上電極２６が形成されている。各サブ画素上電極２１は
一体に形成されており、共通電極として作動する。図１に示すように、上電極２６には複
数のスリット状開口２７Ａが形成されている。スリット状開口２７Ａは長円形状であり、
その長手方向は走査線１７の延在方向に対して右下がりに例えば５度傾斜している。上電
極２６を覆ってポリイミドからなる配向膜２８が積層されている。配向膜２８には信号線
２０の延在方向と平行に液晶方向配向処理（ラビング処理）が施されている。スリット状
開口２７Ａに対応する位置の下電極２３と上電極２６間の電界によって液晶層ＬＣの液晶
分子の配向が変化する。
【００３９】
カラーフィルタ基板ＣＦは透明な絶縁性を有するガラスや石英、プラスチック等からな
る第２透明基板２９を基体としている。第２透明基板２９には、遮光層３０と、サブ画素
毎に異なる色の光（例えば、Ｒ、Ｇ、Ｂ）を透過するカラーフィルタ層３１が形成されて
いる。図１に示すように、遮光層３０は不透明な領域、すなわち、走査線１７、信号線２
０、ＴＦＴ、ドレイン電極Ｄと平面視で重なるように形成されている。サブ画素１２ＲＡ
、１２ＧＡ、１２ＢＡの遮光層３０が形成されていない領域が表示領域であり、そこには
カラーフィルタ層３１が形成されている。遮光層３０とカラーフィルタ層３１を覆うよう
にして例えばフォトレジスト等の透明樹脂材料からなるオーバーコート層３２が積層され
ている。このオーバーコート層３２は異なる色のカラーフィルタ層３１による段差を平坦
にし、また、遮光層３０やカラーフィルタ層３１から流出する不純物が液晶層ＬＣに入ら
ないように遮断するために設けられているものである。オーバーコート層３２を覆うよう
にして例えばポリイミドからなる配向膜３３が形成されている。この配向膜３３には配向
膜２８と逆方向の液晶方向配向処理が施されている。
【００４０】
このようにして形成されたアレイ基板ＡＲ及びカラーフィルタ基板ＣＦを互いに対向さ
せ、両基板の周囲にシール材（不図示）を設けることにより両基板を貼り合せ、両基板間
に液晶を充填することにより第１実施形態に係る液晶表示パネル１０Ａが得られる。なお
、液晶層ＣＬを所定の厚みに保持するためのスペーサ（不図示）がカラーフィルタ基板Ｃ
Ｆに形成されている。
【００４１】
上述の構成により、ＴＦＴがＯＮ状態になって下電極２３と上電極２６間に電圧が印加
されると、両電極２３、２６間に電界が発生して液晶層ＬＣの液晶分子の配向が変化する
。これにより、液晶層ＬＣの光透過率が変化して画像を表示することとなる。下電極２３
と上電極２６と電極間絶縁膜２５により補助容量が形成され、ＴＦＴがＯＦＦになったと
きに両電極２３、２６間の電界を所定時間保持される。
【００４２】
赤色のサブ画素１２ＲＡ、緑色のサブ画素１２ＧＡと青色のサブ画素１２ＢＡには、例
えば８ビットの階調（０階調〜２５５階調）に対応した電圧が印加され、それぞれ２５６
種類の濃度で表示することができる。設計上は、全てのサブ画素１２ＲＡ、１２ＧＡ、１
２ＢＡが同時に同一の階調となっていれば、白表示となる。しかしながら、第１実施形態
の液晶表示パネル１０Ａでは、液晶表示パネル１０Ａ内の液晶分子の挙動の差異やプロセ
ス変動などにより、Ｒ・Ｇ・Ｂの色度や輝度バランスが崩れて、全てのサブ画素１２ＲＡ
、１２ＧＡ、１２ＢＡに２５５階調の電圧が印加されても、完全な白色にならずに黄色が
かることがある。このために、第１実施形態の液晶表示パネル１０Ａでは、図１に示すよ
うに、青色のサブ画素１２ＢＡの上方の短辺側の走査線と重なる遮光層３０が列方向にＬ
１だけ延在されて、青色のサブ画素１２ＢＡの開口率が赤色のサブ画素１２ＲＡ及び緑色
のサブ画素１２ＧＡの開口率よりも小さくされている。
【００４３】
サブ画素１２ＢＡの短辺側はスリット状開口２７Ａの端部３４Ａが少なくなっている。
スリット状開口２７Ａの端部３４Ａは液晶分子の回転方向が逆になるリバースツイストド
メインがあるために、駆動時の液晶挙動のバラツキや組立時の位置ずれよる輝度変化の影
響を受けやすい。そのため、輝度変化が生じやすいスリット状開口２７Ａの端部３４Ａを
遮光層３０で遮光して開口率を調整すると、計算した設計値の輝度との間の誤差が大きく
なることがある。
【００４４】
第１実施形態の液晶表示パネル１０Ａでは、スリット状開口２７Ａの端部３４Ａが少な
い短辺側の遮光層３０を列方向に延在することにより、計算した設計値の輝度との間の誤
差を小さくすることができるようになる。また、このように、サブ画素１２ＢＡの短辺側
の遮光層３０を列方向に延在することにより、長辺側の遮光層３０を行方向に延在させる
場合と比べて、同一面積を被覆する場合により長く遮光層３０を延在させることができる
ので、微調整が容易にできるようになる。
【００４５】
［第２実施形態］
第２実施形態の液晶表示パネル１０Ｂの構成を、図４を用いて説明する。第２実施形態
の液晶表示パネル１０Ｂが第１実施形態の液晶表示パネル１０Ａと構成が相違する点は、
スリット状開口及び遮光層の構成のみであり、その他の構成は同一である。そのため、第
２実施形態の液晶表示パネル１０Ｂにおいては、第１実施形態の液晶表示パネル１０Ａと
構成が同一の箇所には同一の参照符号を付与してその詳細な説明は省略する。
【００４６】
第２実施形態の液晶表示パネル１０Ｂは、第１実施形態の液晶表示パネル１０Ａと同様
に、青色のサブ画素１２ＢＢの開口率を小さくすることにより混色の調整が行われている
。図４に示すように、第２実施形態のスリット状開口２７Ｂは長円形状であり、その長手
方向は信号線２０の延在方向に対して右上がりに約５度傾斜している。したがって、スリ
ット状開口２７Ｂの端部３４Ｂはサブ画素１２ＲＢ、１２ＧＢ、１２ＢＢの長辺側（信号
線２０側）の方が少ない。そこで、第２実施形態の遮光層３０は、青色のサブ画素１２Ｂ
Ｂの左方の長辺側の信号線２０と重なる遮光層３０が行方向にＬ２だけ延在されて、青色
のサブ画素１２ＢＢの開口率が赤色のサブ画素１２ＲＢ及び緑色のサブ画素１２ＧＢより
も小さくなっている。これにより、第２実施形態の液晶表示パネル１０Ｂも、計算した設
計値の輝度との間の誤差を小さくすることができる。
【００４７】
［第３実施形態］
第３実施形態の液晶表示パネル１０Ｃの構成を、図５を用いて説明する。第３実施形態
の液晶表示パネル１０Ｃが第１実施形態の液晶表示パネル１０Ａと構成が相違する点は、
スリット状開口及び遮光層の構成のみであり、その他の構成は同一である。そのため、第
３実施形態の液晶表示パネル１０Ｃにおいては、第１実施形態の液晶表示パネル１０Ａと
構成が同一の箇所には同一の参照符号を付与してその詳細な説明は省略する。
【００４８】
第３実施形態の液晶表示パネル１０Ｃは、第１実施形態の液晶表示パネル１０Ａと同様
に、青色のサブ画素１２ＢＣの開口率を小さくすることにより混色の調整が行われている
。図５に示すように、第３実施形態のスリット状開口２７Ｃは縦「く」字状に折れ曲がっ
た長円形状である。したがって、スリット状開口２７Ｃの端部３４Ｃはサブ画素１２ＲＣ
、１２ＧＣ、１２ＢＣの長辺側（信号線２０側）の方が少ない。そこで、第３実施形態の
遮光層３０は、青色のサブ画素１２ＢＣの左方の長辺側の信号線２０と重なる遮光層３０
が行方向にＬ３だけ延在されて、青色のサブ画素１２ＢＣの開口率が赤色のサブ画素１２
ＲＣ及び緑色のサブ画素１２ＧＣよりも小さくなっている。これにより、第３実施形態の
液晶表示パネル１０Ｃも、計算した設計値の輝度との間の誤差を小さくすることができる
。
【００４９】
［第４実施形態］
第４実施形態の液晶表示パネル１０Ｄの構成を、図６を用いて説明する。第４実施形態
の液晶表示パネル１０Ｄが第１実施形態の液晶表示パネル１０Ａと構成が相違する点は、
スリット状開口及び遮光層の構成のみであり、その他の構成は同一である。そのため、第
４実施形態の液晶表示パネル１０Ｄにおいては、第１実施形態の液晶表示パネル１０Ａと
構成が同一の箇所には同一の参照符号を付与してその詳細な説明は省略する。
【００５０】
第４実施形態の液晶表示パネル１０Ｄは、第１実施形態の液晶表示パネル１０Ａと同様
に、青色のサブ画素１２ＢＤの開口率を小さくすることにより混色の調整が行われている
。図６に示すように、第４実施形態のスリット状開口２７Ｄは下向きの横「く」字状に折
れ曲がった長円形状である。したがって、スリット状開口２７Ｄの端部３４Ｄはサブ画素
１２ＲＤ、１２ＧＤ、１２ＢＤの短辺側（走査線１７側）の方が少ない。そこで、第４実
施形態の遮光層３０は、青色のサブ画素１２ＢＤの上方の短辺側の走査線１７と重なる遮
光層３０が列方向にＬ４だけ延在されて、開口率が赤色のサブ画素１２ＲＤ及び緑色のサ
ブ画素１２ＧＤよりも小さくなっている。これにより、第４実施形態の液晶表示パネル１
０Ｄも、計算した設計値の輝度との間の誤差を小さくすることができる。
【００５１】
［第５実施形態］
第５実施形態の液晶表示パネル１０Ｅの構成を、図７を用いて説明する。第５実施形態
の液晶表示パネル１０Ｅが第１実施形態の液晶表示パネル１０Ａと構成が相違する点は、
スリット状開口及び遮光層の構成のみであり、その他の構成は同一である。そのため、第
５実施形態の液晶表示パネル１０Ｅにおいては、第１実施形態の液晶表示パネル１０Ａと
構成が同一の箇所には同一の参照符号を付与してその詳細な説明は省略する。
【００５２】
第５実施形態の液晶表示パネル１０Ｅは、緑色のサブ画素１２ＧＥの開口率を６％小さ
くし、青色のサブ画素１２ＢＥの開口率を１０％小さくすることにより混色の調整が行わ
れている。図７に示すように、第５実施形態のスリット状開口２７Ｅは長円形状であり、
その長手方向の延在方向は走査線１７の延在方向に対して右上がりに約５度傾斜している
領域と右下がりに約５度傾斜している領域が形成されている。このようにスリット状開口
の延在方向が異なる領域を備えることにより、それぞれの領域でＶＴ特性が異なるために
、視野角による色の差を低減することができるようになる。
【００５３】
赤色のサブ画素１２ＲＥの開口率は、スリット状開口２７Ｅの右上がりの領域が５５％
で、右下がりの領域が４５％になっている。緑色のサブ画素１２ＧＥの開口率は、上下の
短辺側の遮光層３０を互いに近接する方向Ｌ６及びＬ７だけ延在することにより、スリッ
ト状開口２７Ｅの右上がりの領域が５２％で、右下がりの領域が４２％になっている。ま
た、青色のサブ画素１２ＢＥの開口率は上下の短辺側の遮光層３０を互いにＬ８及びＬ９
だけ近接する方向に延在することにより、スリット状開口２７Ｅの右上がりの領域が５０
％で、右下がりの領域が４０％になっている。このように、複数のスリット状開口の延在
方向が互いに異なる領域のそれぞれについて開口率の縮小が行われるために、計算した設
計値の輝度との間の誤差を小さくすることができると共に、視野角による色の差を低減す
ることができる。
【００５４】
なお、第５実施形態の液晶表示パネル１０Ｅでは、スリット状開口の端部の数が零又は
最小となる側の短辺と対向する短辺に沿って形成された遮光層によっても開口率が小さく
されている例を示した。このような開口率の調整方法は、第４実施形態の液晶表示パネル
１０Ｄのように、スリット状開口が横「く」字状に折れ曲がっている場合においても同様
に適用することができる。更には、第３実施形態の液晶表示パネル１０Ｃのように、スリ
ット状開口が縦「く」字状に折れ曲がっている場合においても、スリット状開口の端部の
数が零又は最小となる側の長辺と対向する長辺に沿って形成された遮光層によっても小さ
くすることができる。
【００５５】
［第６実施形態］
第６実施形態の液晶表示パネル１０Ｆの構成を、図８を用いて説明する。第６実施形態
の液晶表示パネル１０Ｆが第１実施形態の液晶表示パネル１０Ａと構成が相違する点は、
スリット状開口及び遮光層の構成のみであり、その他の構成は同一である。そのため、第
６実施形態の液晶表示パネル１０Ｆにおいては、第１実施形態の液晶表示パネル１０Ａと
構成が同一の箇所には同一の参照符号を付与してその詳細な説明は省略する。
【００５６】
第６実施形態の液晶表示パネル１０Ｆは、第１実施形態の液晶表示パネル１０Ａと同様
に、青色のサブ画素１２ＢＦの開口率を小さくすることにより混色の調整が行われている
。図８に示すように、第６実施形態のスリット状開口２７Ｆは長円形状であり、その長手
方向は走査線１７の延在方向に対して右上がりに約５度傾斜している領域と右下がりに約
５度傾斜している領域が形成されている。赤色のサブ画素１２ＲＦ及び緑色のサブ画素１
２ＧＦの開口率はスリット状開口２７Ｆの右上がりの領域が５０％で、右下がりの領域が
５０％になっている。青色のサブ画素１２ＢＦの開口率は、上下の短辺側の遮光層３０を
互いにＬ９及びＬ１０だけ近接する方向に延在することにより、スリット状開口２７Ｆの
右上がりの領域が４５％で、右下がりの領域が４５％になっている。このように、第６実
施形態の液晶表示パネル１０Ｆでは、青色のサブ画素１２ＢＦにおけるスリット状開口２
７Ｆの右上がりの領域の開口率と右下がりの領域の開口率の比（１：１）が、赤色のサブ
画素１２ＲＦ及び緑色のサブ画素１２ＧＦにおけるスリット状開口２７Ｆの右上がりの開
口率と右下がりの開口率の比と同じになるように、開口率の縮小が行われている。これに
より、第６実施形態の液晶表示パネル１０Ｆは、計算した設計値の輝度との間の誤差を小
さくすることができると共に、特定の色のサブ画素の開口率が変更されたことによる視野
角による色の差を低減することができるようになる。
【図面の簡単な説明】
【００５７】
【図１】第１実施形態の液晶表示パネルの１画素分の平面図である。
【図２】図１のII−II線の断面図である。
【図３】図１のIII−III線の断面図である。
【図４】第２実施形態の液晶表示パネルの１画素分の平面図である。
【図５】第３実施形態液の液晶表示パネルの１画素分の平面図である。
【図６】第４実施形態の液晶表示パネルの１画素分の平面図である。
【図７】第５実施形態の液晶表示パネルの１画素分の平面図である。
【図８】第６実施形態の液晶表示パネルの１画素分の平面図である。
【符号の説明】
【００５８】
１０Ａ〜１０Ｆ：液晶表示パネル  １１Ａ〜１１Ｆ：１画素  １２ＲＡ〜１２ＲＦ：赤
色のサブ画素  １２ＧＡ〜１２ＧＦ：緑色のサブ画素  １２ＢＡ〜１２ＢＦ：青色のサブ
画素  １３：第１偏光板  １４：第２偏光板  １５：バックライト装置  １６：第１透明
基板  １７：走査線  １８：ゲート絶縁膜  １９：半導体層  ２０：信号線  ２１：パッ
シベーション膜  ２２：平坦化樹脂層  ２３：下電極  ２４：コンタクトホール  ２５：
電極間絶縁膜  ２６：上電極  ２７Ａ〜２４Ｆ：スリット  ２８：配向膜  ２９：第２透
明基板  ３０：遮光層  ３１：カラーフィルタ層  ３２：オーバーコート層  ３３：配向
膜  ３４Ａ〜３４Ｆ：（スリットの）端部  ＬＣ：液晶層  ＡＲ：アレイ基板  ＣＦ：カ
ラーフィルタ基板
【図１】
2010139918.tif 000003
【図２】
2010139918.tif 000004
【図３】
2010139918.tif 000005
【図４】
2010139918.tif 000006
【図５】
2010139918.tif 000007
【図６】
2010139918.tif 000008
【図７】
2010139918.tif 000009
【図８】
2010139918.tif 000010